【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
熱交換部と、この熱交換部を通る給湯配管と、この熱交換部に燃焼熱を供給するガスバーナと、このガスバーナへのガス供給量を調節する比例弁と、この比例弁への供給電流を制御する制御部と、給湯要求熱量と比例弁への供給電流との相関関係を表すデータを記憶する記憶部とを備え、
上記制御部が、給湯配管を流れる水の流量と、熱交換部へ向かう水の温度と、設定温度の情報に基づいて給湯要求熱量を演算し、この給湯要求熱量と上記記憶データとからフィードフォワード出力分を演算し、給湯配管からの出湯温度と上記設定温度に基づいてフィードバック出力分を演算し、上記フィードフォワード出力分にフィードバック出力分を加味して上記比例弁への供給電流値を決定することにより、上記出湯温度を上記設定温度と一致させるように制御するガス給湯装置において、
上記制御部は、上記演算された給湯要求熱量と上記のようにして決定された実際の供給電流値との関係を示す少なくとも２点でのデータに基づいて、上記相関関係を表す線の傾きを変えるように、上記記憶データを更新することを特徴とするガス給湯装置。
【請求項２】
上記記憶データの更新に用いられる２点のデータのうち１点は、供給電流値の制御範囲において最小値近傍にあり、他の１点はこの制御範囲の最大値近傍にあることを特徴とする請求項１に記載のガス給湯装置。
【請求項３】
上記記憶データの更新に用いられる２点のデータは、供給電流値の制御範囲において、所定量以上離れていることを特徴とする請求項１に記載のガス給湯装置。
【請求項４】
前回の更新に用いられた２点のデータより、供給電流値の差が大きい２点のデータを得た時には、この新規のデータに基づき記憶データを更新することを特徴とする請求項１に記載のガス給湯装置。
【手続補正２】
【補正対象書類名】明細書
【補正対象項目名】０００６
【補正方法】変更
【補正の内容】
【０００６】
【課題を解決するための手段】
請求項１の発明は、熱交換部と、この熱交換部を通る給湯配管と、この熱交換部に燃焼熱を供給するガスバーナと、このガスバーナへのガス供給量を調節する比例弁と、この比例弁への供給電流を制御する制御部と、給湯要求熱量と比例弁への供給電流との相関関係を表すデータを記憶する記憶部とを備え、上記制御部が、給湯配管を流れる水の流量と、熱交換部へ向かう水の温度と、設定温度の情報に基づいて給湯要求熱量を演算し、この給湯要求熱量と上記記憶データとからフィードフォワード出力分を演算し、給湯配管からの出湯温度と上記設定温度に基づいてフィードバック出力分を演算し、上記フィードフォワード出力分にフィードバック出力分を加味して上記比例弁への供給電流値を決定することにより、上記出湯温度を上記設定温度と一致させるように制御するガス給湯装置において、上記制御部は、上記演算された給湯要求熱量と上記のようにして決定された実際の供給電流値との関係を示す少なくとも２点でのデータに基づいて、上記相関関係を表す線の傾きを変えるように、上記記憶データを更新することを特徴とする。
【手続補正３】
【補正対象書類名】明細書
【補正対象項目名】０００７
【補正方法】変更
【補正の内容】
【０００７】
請求項２の発明は、請求項１に記載のガス給湯装置において、上記記憶データの更新に用いられる２点のデータのうち１点は、供給電流値の制御範囲において最小値近傍にあり、他の１点はこの制御範囲の最大値近傍にあることを特徴とする。
請求項３の発明は、請求項１に記載のガス給湯装置において、上記記憶データの更新に用いられる２点のデータは、供給電流値の制御範囲において、所定量以上離れていることを特徴とする。
請求項４の発明は、請求項１に記載のガス給湯装置において、前回の更新に用いられた２点のデータより、供給電流値の差が大きい２点のデータを得た時には、この新規のデータに基づき記憶データを更新することを特徴とする。
【手続補正４】
【補正対象書類名】明細書
【補正対象項目名】０００８
【補正方法】変更
【補正の内容】
【０００８】
【発明の実施の形態】
以下、この発明の一実施の形態について図１〜図３を参照して説明する。図１に示すようにガス給湯装置は、缶（図示せず）の下部に収容されたガスバーナ１と、缶の上部に収容された熱交換部２と、ガスバーナ１に燃焼空気を供給するためのファン（図示せず）とを備えている。また、ガスバーナ１の近傍には、点火機構（図示）が配置されている。上記ガスバーナ１にガスを供給する手段は、ガス管３と、このガス管３に設けられた主電磁開閉弁４および電磁比例弁５とを有している。
【手続補正５】
【補正対象書類名】明細書
【補正対象項目名】０００９
【補正方法】変更
【補正の内容】
【０００９】
ガス給湯装置は、さらに給湯配管１０を備えている。この給湯配管１０は、上記熱交換部２を通る受熱管１１と、この受熱管１１の入口端に接続された給水管１２と、出口端に接続された給湯管１３とを有している。給湯管１３の末端には給湯栓１４が設けられている。給水管１２には給水温度センサＴINと、フローセンサＱが設けられ、給湯管１３には出湯温度センサＴOUTと流量制御弁ＧＭが設けられている。なお、これら温度センサＴIN，ＴOUT，フローセンサＱの検出値については、それぞれ同符号を付して表すこととする。
【手続補正６】
【補正対象書類名】明細書
【補正対象項目名】００１０
【補正方法】変更
【補正の内容】
【００１０】
ガス給湯装置は、さらに、制御部５０と記憶部５５とリモートコントローラ６０とを備えている。制御部５０には、上述した種々の検出手段、すなわち温度センサＴIN、ＴOUT、フローセンサＱからの情報に基づいて、点火機構，ファン，開閉弁４，比例弁５，流量制御弁ＧＭを制御する。記憶部５５は、参考例として、図２に実線で示すような給湯要求熱量と比例弁５への供給電流（以下、比例弁電流と称す）との相関関係を示すデータをマップまたは演算式（１次方程式）の形態で記憶している。この参考例では、この相関関係をリニアな関係として説明する。
【手続補正７】
【補正対象書類名】明細書
【補正対象項目名】００１４
【補正方法】変更
【補正の内容】
【００１４】
温度センサＴINやフローセンサＱの検出信号に誤差がなく、またガスバーナ１や熱交換部２が設計どうりで、期待した熱効率が得られる場合には、図２の実線の関係が成立するため、このフィードフォワード出力分ＦＦだけで、出湯温度を設定温度ＴSに一致させることができる。しかし、実際には検出信号の誤差や設計誤差等があるため、フィードフォワード出力分だけでは、正確な制御ができない。そこで、出湯温度センサＴOUTで検出された出湯温度と、設定温度ＴSとの差に基づくＰＩＤ演算に基づいて、フィードバック出力分ＦＢを求める。
次に、上記フィードフォワード出力分ＦＦにフィードバック出力分ＦＢを加算して、比例弁電流Ｉ０’を決定する。その結果、検出出湯温度ＴOUTを設定温度ＴSにすることができる。
【手続補正８】
【補正対象書類名】明細書
【補正対象項目名】００１６
【補正方法】変更
【補正の内容】
【００１６】
次に、本発明に係わるより精密な記憶データの更新方法について図３を参照して説明する。この更新方法は、記憶データの傾きの設定に問題がある場合に、特に有効である。詳述すると、給湯要求熱量Ｇ1で、出湯温度ＴOUTを設定温度ＴSと一致させることができた時、フィードフォワード出力分ＦＦの座標（Ｉ1，Ｇ1）に対して、実際の比例弁電流に基づく座標（Ｉ1’，Ｇ1）がずれていた場合に、この座標（Ｉ1’，Ｇ1）を一旦記憶しておく。そして、他の給湯要求熱量Ｇ2で出湯温度ＴOUTを設定温度ＴSと一致させることができた時、フィードフォワード出力分ＦＦの座標（Ｉ2，Ｇ2）に対して、実際の比例弁電流に基づく座標（Ｉ2’，Ｇ2）がずれていた場合に、この座標（Ｉ2’，Ｇ2）も記憶する。そして、これら２つの座標（Ｉ1’，Ｇ1），（Ｉ2’，Ｇ2）を通る破線の直線を、新しい記憶データとして更新する。
【手続補正９】
【補正対象書類名】明細書
【補正対象項目名】００２４
【補正方法】変更
【補正の内容】
【００２４】
上記給湯配管１０の給湯管１３と追焚系２０の復路管２２との間には、浴槽６への湯張りのための注湯管３０が設けられており、注湯管３０と給湯管１３および復路管２２との接続点が符号Ｐ５，Ｐ６で示されている。注湯管３０には、電磁開閉弁からなる注湯弁３１が設けられている。
【手続補正１０】
【補正対象書類名】明細書
【補正対象項目名】００２７
【補正方法】変更
【補正の内容】
【００２７】
【発明の効果】
以上説明したように、請求項１の発明によれば、比例弁電流と給湯要求熱量との関係を表す記憶データを、相関関係を表す線の傾きを変えるように、更新することにより、フィードフォワード出力分を、出湯温度を設定温度に一致させるための比例弁電流値に近づけることができ、給湯初期や，出湯量，設定温度の急変に即応させることができるとともに、このフィードフォワード出力分の演算も簡易となる。
請求項２〜４によれば、より高精度に記憶データを更新することができる。
【手続補正１１】
【補正対象書類名】明細書
【補正対象項目名】図面の簡単な説明
【補正方法】変更
【補正の内容】
【図面の簡単な説明】
【図１】本発明の一実施形態をなすガス給湯装置の概略図である。
【図２】給湯に際してのフィードフォワード出力分を演算するための記憶データを更新する参考例方法を示す図である。
【図３】同記憶データを更新する本発明方法を示す図である。
【図４】記憶データを更新する上記参考例方法の他の態様を示す図である。
【図５】記憶データを更新する上記本発明方法の他の態様を示す図である。
【図６】他の実施形態をなすガス給湯装置の概略図である。
【手続補正１２】
【補正対象書類名】明細書
【補正対象項目名】図１
【補正方法】変更
【補正の内容】
【図１】
1999304246.tif 000001